【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
水と、水溶性有機溶剤と、色材と、下記一般式（Ｉ）で示される構造を有する特定化合物と、樹脂分散剤とを含み、
前記樹脂分散剤が、
（ａ）ポリウレタン
（ｂ）ポリエステル
（ｃ）ポリアミド
（ｄ）ポリウレア
（ｅ）ポリカーボネート
（ｆ）下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマー
（ｇ）親水性の構成単位として少なくとも１種がカルボキシ基を有する構成単位と、アルキル（メタ）アクリレートに由来する構成単位とを含み、酸価が１５ｍｇＫＯＨ／ｇ以上１５０ｍｇＫＯＨ／ｇ以下であるポリマー
のうち少なくとも１つであることを特徴とする水性インクジェット記録用インク。
【化１】
2018048283.tif 000001
（Ｉ）
【化２】
2018048283.tif 000002
（Ｉ−Ｒ）
（一般式（Ｉ）において、Ｒａ，Ｒｂ，Ｒｃ，Ｒｄは、それぞれ独立して、一般式（Ｉ−Ｒ）で示される構造あるいは分岐していない炭素数１以上６以下のアルキル基を表す。Ｒ１は、水素原子またはメチル基、ｎは０以上３以下の整数を表す。一般式（Ｉ−Ｒ）で示される構造の総炭素数は６以下である。）
【化３】
2018048283.tif 000003
（ＩＩ）
（一般式（ＩＩ）において、Ｒ２は、水素原子あるいはメチル基を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。また、異なる構造の単位が同一分子内に複数存在してもよい。）
【請求項２】
水と、色材と、下記一般式（Ｉ）で示される構造を有する特定化合物と、樹脂分散剤とを含み、
前記樹脂分散剤が、
（ａ）ポリウレタン
（ｂ）ポリエステル
（ｃ）ポリアミド
（ｄ）ポリウレア
（ｅ）ポリカーボネート
（ｆ）下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマー
（ｇ）親水性の構成単位として少なくとも１種がカルボキシ基を有する構成単位と、アルキル（メタ）アクリレートに由来する構成単位とを含み、酸価が１５ｍｇＫＯＨ／ｇ以上１５０ｍｇＫＯＨ／ｇ以下であるポリマー
のうち少なくとも１つであることを特徴とするインクジェットインク用顔料分散液。
【化４】
2018048283.tif 000004
（Ｉ）
【化５】
2018048283.tif 000005
（Ｉ−Ｒ）
（一般式（Ｉ）において、Ｒａ，Ｒｂ，Ｒｃ，Ｒｄは、それぞれ独立して、一般式（Ｉ−Ｒ）で示される構造あるいは分岐していない炭素数１以上６以下のアルキル基を表す。Ｒ１は、水素原子またはメチル基、ｎは０以上３以下の整数を表す。一般式（Ｉ−Ｒ）で示される構造の総炭素数は６以下である。）
【化６】
2018048283.tif 000006
（ＩＩ）
（一般式（ＩＩ）において、Ｒ２は、水素原子あるいはメチル基を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。また、異なる構造の単位が同一分子内に複数存在してもよい。）
【請求項３】
少なくとも、請求項２に記載のインクジェットインク用顔料分散液と、水溶性有機溶剤とを混合する混合工程を含むことを特徴とする水性インクジェット記録用インクの製造方法。
【請求項４】
水と、水溶性有機溶剤と、色材としてカーボンブラックを含むブラックインクと、請求項１に記載の水性インクジェット記録用インクであって前記色材が有彩色の色材である１種または複数のカラーインクとから構成されることを特徴とする水性インクジェット記録用インクセット。
【請求項５】
請求項１に記載の水性インクジェット記録用インクまたは請求項４に記載の水性インクジェット記録用インクセットを記録ヘッドより吐出して記録媒体に付与した後、中心波長が７５０ｎｍ以上９５０ｎｍ以下の範囲にある近赤外レーザを照射しインク乾燥を行って記録することを特徴とするインクジェット記録方法。
【請求項６】
各色インクごとに、記録媒体にインクを付与した後、中心波長が７５０ｎｍ以上９５０ｎｍ以下の範囲にある近赤外レーザを照射することを繰り返し行って記録することを特徴とする、請求項５に記載のインクジェット記録方法。
【請求項７】
各色インクごとに、記録媒体にインクを付与した後、中心波長が７５０ｎｍ以上９５０ｎｍ以下の範囲にある近赤外レーザを照射することを繰り返し行い、最後に記録するインクを記録媒体に付与した後は、近赤外レーザを照射せずに記録媒体を加熱してインク乾燥を行うことを特徴とする、請求項５に記載のインクジェット記録方法。
【請求項８】
全色のインクを記録媒体に付与した後、中心波長が７５０ｎｍ以上９５０ｎｍ以下の範囲にある近赤外レーザを照射することを特徴とする、請求項５に記載のインクジェット記録方法。
【請求項９】
請求項１に記載の水性インクジェット記録用インクまたは請求項４に記載の水性インクジェット記録用インクセットを吐出して記録媒体にインクを付与する記録ヘッドと、
前記記録媒体に付与されたインクに対して、中心波長が７５０ｎｍ以上９５０ｎｍ以下の範囲にある近赤外レーザを照射する近赤外レーザ発光装置と、
を備えることを特徴とするインクジェット記録装置。
【手続補正２】
【補正対象書類名】明細書
【補正対象項目名】０００９
【補正方法】変更
【補正の内容】
【０００９】
請求項１に係る発明は、水と、水溶性有機溶剤と、色材と、下記一般式（Ｉ）で示される構造を有する特定化合物と、樹脂分散剤とを含み、前記樹脂分散剤が、
（ａ）ポリウレタン
（ｂ）ポリエステル
（ｃ）ポリアミド
（ｄ）ポリウレア
（ｅ）ポリカーボネート
（ｆ）下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマー
（ｇ）親水性の構成単位として少なくとも１種がカルボキシ基を有する構成単位と、アルキル（メタ）アクリレートに由来する構成単位とを含み、酸価が１５ｍｇＫＯＨ／ｇ以上１５０ｍｇＫＯＨ／ｇ以下であるポリマー
のうち少なくとも１つである、水性インクジェット記録用インクである。
【化１】
2018048283.tif 000007
（Ｉ）
【化２】
2018048283.tif 000008
（Ｉ−Ｒ）
（一般式（Ｉ）において、Ｒａ，Ｒｂ，Ｒｃ，Ｒｄは、それぞれ独立して、一般式（Ｉ−Ｒ）で示される構造あるいは分岐していない炭素数１以上６以下のアルキル基を表す。Ｒ１は、水素原子またはメチル基、ｎは０以上３以下の整数を表す。一般式（Ｉ−Ｒ）で示される構造の総炭素数は６以下である。）
【化３】
2018048283.tif 000009
（ＩＩ）
（一般式（ＩＩ）において、Ｒ２は、水素原子あるいはメチル基を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。また、異なる構造の単位が同一分子内に複数存在してもよい。）
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に係る発明は、水と、色材と、下記一般式（Ｉ）で示される構造を有する特定化合物と、樹脂分散剤とを含み、前記樹脂分散剤が、
（ａ）ポリウレタン
（ｂ）ポリエステル
（ｃ）ポリアミド
（ｄ）ポリウレア
（ｅ）ポリカーボネート
（ｆ）下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマー
（ｇ）親水性の構成単位として少なくとも１種がカルボキシ基を有する構成単位と、アルキル（メタ）アクリレートに由来する構成単位とを含み、酸価が１５ｍｇＫＯＨ／ｇ以上１５０ｍｇＫＯＨ／ｇ以下であるポリマー
のうち少なくとも１つである、インクジェットインク用顔料分散液である。
【化４】
2018048283.tif 000010
（Ｉ）
【化５】
2018048283.tif 000011
（Ｉ−Ｒ）
（一般式（Ｉ）において、Ｒａ，Ｒｂ，Ｒｃ，Ｒｄは、それぞれ独立して、一般式（Ｉ−Ｒ）で示される構造あるいは分岐していない炭素数１以上６以下のアルキル基を表す。Ｒ１は、水素原子またはメチル基、ｎは０以上３以下の整数を表す。一般式（Ｉ−Ｒ）で示される構造の総炭素数は６以下である。）
【化６】
2018048283.tif 000012
（ＩＩ）
（一般式（ＩＩ）において、Ｒ２は、水素原子あるいはメチル基を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。また、異なる構造の単位が同一分子内に複数存在してもよい。）
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３に係る発明は、少なくとも、請求項２に記載のインクジェットインク用顔料分散液と、水溶性有機溶剤とを混合する混合工程を含む、水性インクジェット記録用インクの製造方法である。
【手続補正７】
【補正対象書類名】明細書
【補正対象項目名】００１４
【補正方法】変更
【補正の内容】
【００１４】
請求項４に係る発明は、水と、水溶性有機溶剤と、色材としてカーボンブラックを含むブラックインクと、請求項１に記載の水性インクジェット記録用インクであって前記色材が有彩色の色材である１種または複数のカラーインクとから構成される、水性インクジェット記録用インクセットである。
【手続補正８】
【補正対象書類名】明細書
【補正対象項目名】００１５
【補正方法】変更
【補正の内容】
【００１５】
請求項５に係る発明は、請求項１に記載の水性インクジェット記録用インクまたは請求項４に記載の水性インクジェット記録用インクセットを記録ヘッドより吐出して記録媒体に付与した後、中心波長が７５０ｎｍ以上９５０ｎｍ以下の範囲にある近赤外レーザを照射しインク乾燥を行って記録する、インクジェット記録方法である。
【手続補正９】
【補正対象書類名】明細書
【補正対象項目名】００１６
【補正方法】変更
【補正の内容】
【００１６】
請求項６に係る発明は、各色インクごとに、記録媒体にインクを付与した後、中心波長が７５０ｎｍ以上９５０ｎｍ以下の範囲にある近赤外レーザを照射することを繰り返し行って記録する、請求項５に記載のインクジェット記録方法である。
【手続補正１０】
【補正対象書類名】明細書
【補正対象項目名】００１７
【補正方法】変更
【補正の内容】
【００１７】
請求項７に係る発明は、各色インクごとに、記録媒体にインクを付与した後、中心波長が７５０ｎｍ以上９５０ｎｍ以下の範囲にある近赤外レーザを照射することを繰り返し行い、最後に記録するインクを記録媒体に付与した後は、近赤外レーザを照射せずに記録媒体を加熱してインク乾燥を行う、請求項５に記載のインクジェット記録方法である。
【手続補正１１】
【補正対象書類名】明細書
【補正対象項目名】００１８
【補正方法】変更
【補正の内容】
【００１８】
請求項８に係る発明は、全色のインクを記録媒体に付与した後、中心波長が７５０ｎｍ以上９５０ｎｍ以下の範囲にある近赤外レーザを照射する、請求項５に記載のインクジェット記録方法である。
【手続補正１２】
【補正対象書類名】明細書
【補正対象項目名】００１９
【補正方法】変更
【補正の内容】
【００１９】
請求項９に係る発明は、請求項１に記載の水性インクジェット記録用インクまたは請求項４に記載の水性インクジェット記録用インクセットを吐出して記録媒体にインクを付与する記録ヘッドと、前記記録媒体に付与されたインクに対して、中心波長が７５０ｎｍ以上９５０ｎｍ以下の範囲にある近赤外レーザを照射する近赤外レーザ発光装置と、を備える、インクジェット記録装置である。
【手続補正１３】
【補正対象書類名】明細書
【補正対象項目名】００２１
【補正方法】変更
【補正の内容】
【００２１】
請求項１に係る発明によると、樹脂分散剤が、上記（ａ）から（ｇ）のうち少なくとも１つではない場合に比べて、保存安定性が良好である水性インクジェット記録用インクが提供される。
【手続補正１４】
【補正対象書類名】明細書
【補正対象項目名】００２２
【補正方法】変更
【補正の内容】
【００２２】
請求項２に係る発明によると、色材および特定化合物がマレイン酸共重合体により分散液中で分散されている場合に比べて、インクにした場合に特定化合物を含むインクの保存安定性と、インクジェット記録した際の画質低下の抑制とを両立するインクジェットインク用顔料分散液が提供される。
【手続補正１５】
【補正対象書類名】明細書
【補正対象項目名】００２３
【補正方法】変更
【補正の内容】
【００２３】
請求項２に係る発明によると、樹脂分散剤が、上記（ａ）から（ｇ）のうち少なくとも１つではない場合に比べて、インクにした場合に保存安定性が良好であるインクジェットインク用顔料分散液が提供される。
【手続補正１６】
【補正対象書類名】明細書
【補正対象項目名】００２４
【補正方法】変更
【補正の内容】
【００２４】
請求項３に係る発明によると、上記インクジェットインク用顔料分散液を用いない場合に比べて、特定化合物を含むインクの保存安定性と、インクジェット記録した際の画質低下の抑制とを両立する水性インクジェット記録用インクの製造方法が提供される。
【手続補正１７】
【補正対象書類名】明細書
【補正対象項目名】００２５
【補正方法】変更
【補正の内容】
【００２５】
請求項４に係る発明によると、色材および特定化合物がマレイン酸共重合体によりインク中で分散されている場合に比べて、特定化合物を含むインクの保存安定性と、インクジェット記録した際の画質低下の抑制とを両立する水性インクジェット記録用インクセットが提供される。
【手続補正１８】
【補正対象書類名】明細書
【補正対象項目名】００２６
【補正方法】変更
【補正の内容】
【００２６】
請求項５に係る発明によると、色材および特定化合物がマレイン酸共重合体によりインク中で分散されている場合に比べて、特定化合物を含むインクの保存安定性と、インクジェット記録した際の画質低下の抑制とを両立するインクジェット記録方法が提供される。
【手続補正１９】
【補正対象書類名】明細書
【補正対象項目名】００２７
【補正方法】変更
【補正の内容】
【００２７】
請求項６に係る発明によると、近赤外レーザを照射しない場合に比べて、良好な画質が得られるインクジェット記録方法が提供される。
【手続補正２０】
【補正対象書類名】明細書
【補正対象項目名】００２８
【補正方法】変更
【補正の内容】
【００２８】
請求項７に係る発明によると、最後に記録するインクを記録媒体に付与した後は近赤外レーザを照射する場合に比べて、良好な画質が得られるインクジェット記録方法が提供される。
【手続補正２１】
【補正対象書類名】明細書
【補正対象項目名】００２９
【補正方法】変更
【補正の内容】
【００２９】
請求項８に係る発明によると、近赤外レーザを照射しない場合に比べて、良好な画質が得られるインクジェット記録方法が提供される。
【手続補正２２】
【補正対象書類名】明細書
【補正対象項目名】００３０
【補正方法】変更
【補正の内容】
【００３０】
請求項９に係る発明によると、色材および特定化合物がマレイン酸共重合体によりインク中で分散されている場合に比べて、特定化合物を含むインクの保存安定性と、インクジェット記録した際の画質低下の抑制とを両立するインクジェット記録装置が提供される。